(57)【要約】【課題】良好な外観性が得られるとともに、ビスを用いることなく確実に固定できる壁材および壁材の取付構造を提供する。【解決手段】壁材の取付構造１０は、建物１１の立面１２に沿って取り付けられるものである。この壁材の取付構造１０は、立面１２と略平行に配置される板状の壁面部１５を備え、壁面部１５の周縁１６から壁面部１５の厚み方向に沿って立ち上げられた立上部１７〜２０を備え、立上部１７〜２０のうちの対向する上下の立上部１７，１８にそれぞれ設けられた貫通孔２１，２２を有する壁材１４と、立面１２に固定されるとともに立面１２に沿って延びる爪部２３を備えた取付部材１３とからなり、取付部材１３の爪部２３に貫通孔２１，２２が挿通係止されることにより、立面１２に壁材１４が固定される。【選択図】　図１
2004068486.tif 000002
【特許請求の範囲】
【請求項１】
建物の立面に沿って取り付けられるべき壁材であって、
前記立面と平行に配置される板状の壁面部を備え、
この壁面部の周縁から壁面部の厚み方向に沿って立ち上げられた立上部を備え、
この立上部のうちの対向する二部位にそれぞれ設けられた貫通孔を有し、
前記貫通孔が、前記立面に取り付けられるとともに立面に沿って延びる爪部に挿通係止されることにより、立面に固定されるべきことを特徴とする壁材。
【請求項２】
建物の立面に沿って取り付けられる壁材の取付構造であって、
前記立面と略平行に配置される板状の壁面部を備え、この壁面部の周縁から壁面部の厚み方向に沿って立ち上げられた立上部を備え、この立上部のうちの対向する二部位にそれぞれ設けられた貫通孔を有する壁材と、
前記立面に固定されるとともに立面に沿って延びる爪部を備えた取付部材と、からなり、
前記取付部材の爪部に貫通孔が挿通係止されることにより、立面に壁材が固定されることを特徴とする壁材の取付構造。
【請求項３】
前記取付部材が、前記立面に取り付ける取付板と、前記取付板の下端に形成した連結部と、前記連結部の先端に前記取付板に平行になるように形成された爪部とからなることを特徴とする請求項２に記載した壁材の取付構造。
【発明の詳細な説明】
【０００１】
【発明の属する技術分野】
本発明は壁材および壁材の取付構造に係り、例えば表面にレンガをあしらい、住宅の立面に固定することで住宅を装飾する壁材および壁材の取付構造に関する。
【０００２】
【従来の技術】
最近の住宅には、図７に示すように、例えばレンガをあしらった装飾用の壁材１００が建物の立面１０１の角部１０２に取り付けられたものがある。
この装飾用の壁材１００は、図８に示すように、立面１０１と略平行に配置される板状の壁面部１０３を備え、この壁面部１０３の周縁１０４から壁面部１０３の厚み方向に沿って立ち上げられた立上部１０５を備え、立上部１０５のうちの上側の立上部１０５に取付部１０６を備える。
取付部１０６の取付孔１０７にビス１０８を通して、取付孔１０７に通したビス１０８を立面１０１にねじ結合することにより、立面１０１に壁材１００が固定される。
【０００３】
図９に示すように、装飾用の壁材１００は、壁面部１０３および立上部１０５で断面略コ字状に形成されることで、内部１０９を中空状とした部材である。この装飾用の壁材１００は、図８で説明したように、上側の立上部１０５に備えた取付部１０６の取付孔１０７にビス１０８を通し、そのビス１０８を立面１０１にねじ結合することにより立面１０１に固定される。
【０００４】
【発明が解決しようとする課題】
しかし、この装飾用の壁材１００を立面１０１に固定するために、立面１０１に一個づつビス止めする必要があり、装飾用の壁材１００を立面１０１に固定する手間がかかる。
また、装飾用の壁材１００を立面１０１に固定するために、上側の立上部１０５に備えた取付部１０６をビス１０８で止めるために、ビス１０８が建物の外側から見えてしまい、建物の意匠性を損なう虞れがある。
【０００５】
さらに、装飾用の壁材１００は、上側の立上部１０５に備えた取付部１０６のみをビス止めするために、壁材１００の下部が固定されていない。よって、装飾用の壁材１００の下部が立面１０１から離れてバタつく虞れがある。
従って、装飾用の壁材１００に直接ビス１０８を用いることなく確実に固定できる壁材１００および壁材の取付構造の実用化が求められている。
【０００６】
本発明は、前述した問題点に鑑みてなされたものであり、その目的は、良好な外観性が得られるとともに、直接ビスを用いることなく確実に固定できる壁材および壁材の取付構造を提供することにある。
【０００７】
【課題を解決するための手段】
前述した目的を達成するために、本発明は、請求項１に記載したように、建物の立面に沿って取り付けられるべき壁材であって、前記立面と平行に配置される板状の壁面部を備え、この壁面部の周縁から壁面部の厚み方向に沿って立ち上げられた立上部を備え、この立上部のうちの対向する二部位にそれぞれ設けられた貫通孔を有し、前記貫通孔が、前記立面に取り付けられるとともに立面に沿って延びる爪部に挿通係止されることにより、立面に固定されるべきことを特徴とする。
【０００８】
請求項１の壁材によれば、壁材の立上部に貫通孔を設け、この貫通孔を、立面に沿って延びる爪部に挿通係止することで立面に固定できる。これにより、壁材をビスを用いないで簡単に立面に固定できる。
さらに、壁材をビスを使用しないで立面に固定できるので、建物の外側にビスを露出させることがなく、外観性の見栄えを良好にできる。
加えて、立上部のうちの対向する二部位にそれぞれ貫通孔を設け、これらの貫通孔を、立面に沿って延びる爪部に挿通係止することで立面に固定するので、壁材を立面に確実に固定できる。
【０００９】
請求項２は、建物の立面に沿って取り付けられる壁材の取付構造であって、前記立面と略平行に配置される板状の壁面部を備え、この壁面部の周縁から壁面部の厚み方向に沿って立ち上げられた立上部を備え、この立上部のうちの対向する二部位にそれぞれ設けられた貫通孔を有する壁材と、前記立面に固定されるとともに立面に沿って延びる爪部を備えた取付部材と、からなり、前記取付部材の爪部に貫通孔が挿通係止されることにより、立面に壁材が固定されることを特徴とする。
【００１０】
請求項２の壁材の取付構造によれば、請求項１と同様に爪部に貫通孔を挿通係止することで立面に壁材を固定できるので、請求項１の壁材と同様な作用・効果を得ることができる。
【００１１】
請求項３は、前記取付部材が、前記立面に取り付ける取付板と、前記取付板の下端に形成した連結部と、前記連結部の先端に前記取付板に平行になるように形成された爪部とからなるため、立面に対して壁材を容易、かつ、確実に固定できる。
【００１２】
【発明の実施の形態】
以下、本発明に係る実施形態を図面に基づいて詳細に説明する。なお、以下に説明する各実施形態において、既に図１〜図３において説明した部材等については、図中に同一符号あるいは相当符号を付すことにより説明を簡略化あるいは省略する。
【００１３】
図１および図２に示す第１実施形態の壁材の取付構造１０は、建物１１の立面１２に取付部材１３を取り付け、この取付部材１３で壁材１４を支えることにより立面１２に沿って壁材１４を固定する構造である。
【００１４】
壁材の取付構造１０は、建物１１の立面１２と略平行に配置される板状の壁面部１５を備え、この壁面部１５の周縁１６から壁面部１５の厚み方向に沿って立ち上げられた立上部１７〜２０を備え、この立上部１７〜２０のうちの対向する上下の立上部１７，１８（二部位）にそれぞれ設けられた貫通孔２１，２２を有する壁材１４と、立面１２に固定されるとともに立面１２に沿って延びる爪部２３を備えた取付部材１３とからなる。
【００１５】
壁材１４の壁面部１５は、一例として矩形状に形成され、その表面には、例えばレンガをあしらった装飾面が形成されている。
壁面部１５の上下左右の四辺（周縁）１６には、上下左右の立上部１７〜２０が壁面部１５の厚み方向に沿って立ち上げられている。これにより、壁材１４の裏面側には中空部１４Ａが形成されている。
なお、壁材１４の材質としては、例えば無機質系複合材料、ガラス繊維強化プラスチック等が挙げられ、例えば図７に示すような部位に配置させる場合には、その縦（高さ）、横は典型的にそれぞれ５０〜１０００ｍｍ、１００〜１０００ｍｍである。
【００１６】
壁材１４の壁面部１５は、壁面１１〜１２からの厚みとして、典型的には最大３０ｍｍ〜最小５ｍｍであり、その面形状はプレーンなものや、凹凸意匠を有するものもある。
上下左右の立上部１７〜２０は、壁材１４を成形型で成形した後、成形型からの離型を可能にするために、壁面部１５に対して抜き角度を設けた略８５°（図１参照）に傾斜した状態に成形されている。
なお、上下左右の立上部１７〜２０の厚みについては、壁面部から典型的には３０ｍｍ〜５ｍｍが望ましい。また、壁材１４を形成する板の肉厚としては、典型的には８〜５ｍｍが好ましく、更に典型的には３〜２ｍｍがより好ましい。
【００１７】
上下の立上部１７，１８の貫通孔２１，２２は、図１に示すようにスリット状に形成された孔で、上下の立上部１７，１８の長さは爪部２３の板幅より僅かに大きく形成され、上下の立上部１７，１８の幅は爪部２３の板厚より僅かに大きく形成されている。
よって、上下の立上部１７，１８の貫通孔２１，２２を、取付部材１３の爪部２３に挿通できる。
【００１８】
取付部材１３は、立面１２に取り付ける取付板２４と、この取付板２４の下端に形成した連結部２５と、この連結部２５の先端に取付板２４に平行になるように形成された爪部２３とからなる。
取付板２４には、図２に示すビス２６を貫通させるための一対の取付孔２７（図２参照）が形成されている。
【００１９】
この壁材の取付構造１０によれば、図２に示すように、取付板２４の取付孔２７にビス２６を差し込み、差し込んだビス２６を建物１１の立面１２にねじ結合することにより、建物１１の立面１２に取付部材１３を取り付ける。
これにより、立面１２に沿って爪部２３を上向きに延ばすことができる。
【００２０】
この爪部２３に、壁材１４の上下の立上部１７，１８の貫通孔２１，２２を挿通係止することにより、壁材１４の上下の立上部１７，１８を爪部２３に係止できる。よって、立面１２から壁材１４が離れてバタつかないように、壁材１４を立面１２に確実に固定できる。
【００２１】
また、壁材１４の上下の立上部１７，１８にそれぞれ貫通孔２１，２２を設け、貫通孔２１，２２を、立面１２に沿って延びる爪部２３に挿通係止することで立面１２に壁材１４を固定できるので、壁材１４に直接ビスを取り付ける必要がない。
よって、壁材１４を立面１２に固定する際に、壁材１４を手間をかけないで簡単に立面１２に固定できる。
【００２２】
ここで、壁材１４の表面形状に、例えばレンガをあしらった装飾用の壁材が建物の立面角部に取り付けられた状態を図３に示す。壁材１４に直接ビスを取り付けることなく、立面１２に壁材１４を固定できるので、ビスが建物１１の外側から見えるということがなく、壁材１４の外観性が良好に保たれる。
【００２３】
次に、第２〜第４実施形態を図４〜図６に基づいて説明する。
図４に示す第２実施形態の壁材の取付構造３０は、上下の立上部１７，１８の貫通孔３１，３２をスリットに代えて、一例として三個の丸孔に形成し、取付部材３３の爪部３４を三個の丸孔（貫通孔３１，３２）に挿通可能に三個の突片で形成したものであり、その他の構成は第１実施形態の壁材の取付構造１０と同じである。
なお、上下の立上部１７，１８の貫通孔は二個または四個以上であってもよく、これに対応して取付部材３３の爪部の位置や数も任意に選択できる。
第２実施形態の壁材の取付構造３０においても、第１実施形態と同様の効果を得ることができる。
【００２４】
図５に示す第３実施形態の壁材の取付構造４０は、取付部材４１の爪部４２を長く形成することで、一個の取付部材４１の爪部４２に複数の壁材１４をまとめて挿通係止する構成としたものであり、その他の構成は第１実施形態の壁材の取付構造１０と同じである。
【００２５】
第３実施形態の壁材の取付構造４０によれば、第１実施形態と同様の効果を得ることができ、加えて一個の取付部材４１に複数の壁材１４を挿通係止することで、壁材１４の取り付け作業を、より一層簡単におこなうことができる。
【００２６】
図６に示す第４実施形態の壁材の取付構造５０は、壁材１４の左右の立上部１９，２０の貫通孔５１，５２をスリット状に形成し、貫通孔５１，５２を、立面１２に沿って延びる爪部２３に挿通係止することで、複数の壁材１４を立面１２に対して横向きに延ばした状態に固定したものであり、その他の構成は第１実施形態の壁材の取付構造１０と同じである。
【００２７】
第４実施形態の壁材の取付構造５０によれば、第１実施形態と同様の効果を得ることができ、加えて複数の壁材１４を立面１２に横向きに延ばした状態に固定することで壁材の取付構造の用途を広げることができる。
【００２８】
なお、前記実施形態では、壁材１４を、例えば表面にレンガをあしらった装飾用の壁材とした例について説明したが、本発明はその他の壁材に適用することも可能である。
また、本発明は、前述した各実施形態に限定されるものでなく、適宜な変形，改良等が可能であり、前述した各実施形態において例示した壁材１４、壁面部１５、立上部１７〜２０、取付部材１３，３２、爪部２３，３３等の材質，形状，寸法，形態，数，配置個所，厚さ寸法等は本発明を達成できるものであれば任意であり、限定されない。
【００２９】
【発明の効果】
請求項１は、壁材の立上部に貫通孔を設け、この貫通孔を、立面に沿って延びる爪部に挿通係止することで立面に固定できる。これにより、壁材をビスを用いることなく立面に固定できるので、壁材を立面に手間をかけないで簡単に固定できる。
【００３０】
さらに、壁材をビスで直接止めることなく立面に固定できるので、ビスが建物の外側から見えるということがなく、良好な外観性が得られる。
加えて、立上部のうちの対向する二部位にそれぞれ貫通孔を設け、これらの貫通孔を、立面に沿って延びる爪部に挿通係止することで立面に固定するので、壁材が立面から離れてバタつかないように、壁材を立面に確実に固定できる。
【００３１】
請求項２は、請求項１と同様に爪部に貫通孔を挿通係止することで立面に壁材を固定できるので、請求項１の壁材と同様な効果を得ることができる。
請求項３は、取付部材が、立面に取り付ける取付板と、取付板の下端に形成した連結部と、連結部の先端に取付板に平行になるように形成された爪部とからなるため、立面に対して壁材を容易、かつ、確実に固定できる。
【図面の簡単な説明】
【図１】本発明に係る壁材の取付構造（第１実施形態）を示す分解斜視図である。
【図２】本発明に係る壁材の取付構造（第１実施形態）を建物の立面に固定した状態を示す断面図である。
【図３】本発明に係る壁材の取付構造（第１実施形態）を立面に固定した状態を示す斜視図である。
【図４】本発明に係る壁材の取付構造（第２実施形態）を示す分解斜視図である。
【図５】本発明に係る壁材の取付構造（第３実施形態）を示す分解斜視図である。
【図６】本発明に係る壁材の取付構造（第４実施形態）を示す平面図である。
【図７】従来の壁材の取付構造を建物の立面に固定した状態を示す斜視図である。
【図８】従来の壁材の取付構造を示す斜視図である。
【図９】従来の壁材の取付構造を立面に固定した状態を示す断面図である。
【符号の説明】
１０，３０，４０，５０　壁材の取付構造
１１　建物
１２　立面
１３，３３，４１　取付部材
１４　壁材
１５　壁面部
１６　周縁
１７〜２０　立上部
２１，２２，３１，３２，５１，５２　貫通孔
２３，３４，４２　爪部
【図１】
2004068486.tif 000003
【図２】
2004068486.tif 000004
【図３】
2004068486.tif 000005
【図４】
2004068486.tif 000006
【図５】
2004068486.tif 000007
【図６】
2004068486.tif 000008
【図７】
2004068486.tif 000009
【図８】
2004068486.tif 000010
【図９】
2004068486.tif 000011